(57)【要約】【課題】  径方向への大型化を防止して小型化が可能であり、又、ＰＣＢやＦＰＣ等の回路に対しても容易に使用することが可能な二段動作スイッチを提供すること。【解決手段】  回路基板と、回路基板の第１固定接点に常時接触する外周側接点と該外周側接点の内側に設けられ押圧操作により反転・駆動される内周側接点とを備えた第１接点バネと、第１接点バネに対して絶縁シートを介して重合・配置され回路基板の第２固定接点に常時接触する外周側接点と該外周側接点の内側に設けられ押圧・操作により反転・駆動される内周側接点とを備えた第２接点バネとを具備し、一段目押圧操作によって第１接点バネの内周側接点が反転・駆動されて第２接点バネの内周側接点に接触して第１回路を起動させ、二段目の押圧操作によって第２接点バネの内周側接点が反転・駆動されて回路基板の第３固定接点に接触して第２回路を起動させるもの。【選択図】  図１
2005340154.tif 000002
【特許請求の範囲】
【請求項１】
第１固定接点、第２固定接点、第３固定接点を備える回路基板と、
上記回路基板の第１固定接点に常時接触する外周側接点と該外周側接点の内側に設けられ押圧操作により反転・駆動される内周側接点とを備えた第１接点バネと、
上記第１接点バネに対して第１絶縁シートを介して重合・配置され上記回路基板の第２固定接点に常時接触する外周側接点と該外周側接点の内側に設けられ押圧操作により反転・駆動される内周側接点とを備えた第２接点バネと、
を具備し、
一段目押圧操作によって上記第１接点バネの内周側接点が反転・駆動されて上記第２接点バネの内周側接点に接触して第１回路を起動させ、
さらなる二段目の押圧操作によって上記第２接点バネの内周側接点が反転・駆動されて上記回路基板の第３固定接点に接触して第２回路を起動させるようにしたことを特徴とする二段動作スイッチ。
【請求項２】
請求項１記載の二段動作スイッチにおいて、
上記第１絶縁シートには内側開口部と外側開口部が形成されていて、上記内側開口部を介して上記第１接点バネの内周側接点と第２接点バネの内周側接点が接触し、上記外側開口部を介して上記第１接点バネの外周側接点が上記第１固定接点に接触していることを特徴とする二段動作スイッチ。
【請求項３】
請求項１記載の二段動作スイッチにおいて、
上記第１接点バネはドーム形状をなしていて、対向する両端外周部を外周側接点とし、内周側接点を有するドーム形状の膨出部はブリッジ状に形成されていてその両側に開口部が形成されており、上記両端外周部は反膨出側に湾曲・形成されていることを特徴とする二段動作スイッチ。
【請求項４】
請求項３記載の二段動作スイッチにおいて、
上記両端外周部には突出片が径方向及び反膨出方向に突出した状態で突出・形成されていて、これら突出片が外周側接点であることを特徴とする二段動作スイッチ。
【請求項５】
請求項１記載の二段動作スイッチにおいて、
上記第２接点バネはドーム形状をなしていて、外周部が外周側接点であり、膨出部が内周側接点であることを特徴とする二段動作スイッチ。
【請求項６】
請求項１記載の二段動作スイッチにおいて、
上記第２接点バネと上記回路基板との間には第２絶縁シートが設置されることを特徴とする二段動作スイッチ。
【請求項７】
請求項６記載の二段動作スイッチにおいて、
上記第２絶縁シートには内側開口部と外側開口部が形成されていて、上記内側開口部を介して上記第２接点バネの外周側接点と第２固定接点が接触し、上記外側開口部を介して上記第１接点バネの外周側接点が上記第１固定接点に接触していることを特徴とする二段動作スイッチ。
【請求項８】
請求項１〜請求項７の何れかに記載の二段動作スイッチにおいて、
上記第１接点バネはスペーサを介してカバーフィルムによって覆われていることを特徴とする二段動作スイッチ。
【請求項９】
請求項１〜請求項７の何れかに記載の二段動作スイッチにおいて、
各種電気・電子機器の回路基板に実装されるものであることを特徴とする二段動作スイッチ。
【請求項１０】
請求項１〜請求項７の何れかに記載の二段動作スイッチにおいて、
携帯電話の回路基板に実装されるものであることを特徴とする二段動作スイッチ。 
【発明の詳細な説明】
【技術分野】
【０００１】
本発明は、二段階の押圧操作によって二種類のスイッチ回路を順次起動させるように動作する二段動作スイッチに係り、特に、そこに使用されるスイッチ用接点バネの構成を改良することにより、プリント配線基板に対して有効に使用することができるようにしたものに関する。
【背景技術】
【０００２】
この種の二段動作スイッチの構成を開示するものとしては、例えば、特許文献１、特許文献２がある。
【０００３】
【特許文献１】特開２００２−３５２６６４号公報
【特許文献２】特開２００２−１６３９５２号公報
【０００４】
又、上記特許文献１に開示されている二段動作スイッチに使用されているスイッチ用接点バネは、図１８に示すような構成になっている。図１８は、スイッチ用接点バネ２０１の構成を示す斜視図であり、スイッチ用接点バネ２０１は、中央円板部２０３と、該中央円板部２０３の外周側に配置されたリング状枠部２０５と、これら中央円板部２０３とリング状枠部２０５を連接している連結片２０７、２０７と、上記リング状枠部２０５の外周部に設けられた支持片２０９、２０９とから構成されている。
【０００５】
上記中央円板部２０３の外周部であって下面側には第１可動接点が設けられていて、又、上記中央円板部２０３の中央部であって下面側には第２可動接点が設けられている。又、上記リング状枠部２０５の下面側には常接接点が設けられている。一方、上記スイッチ用接点バネ２０１の下側には図示しない絶縁ハウジングがあり、そこには、外周側からコモン接点、第１選択接点、第２選択接点が設けられている。
【０００６】
上記構成によると、上記スイッチ用接点バネ２０１側の常接接点は上記コモン接点に対して常時接触している。そして、第１クリック操作によって、上記スイッチ用接点バネ２０１側の第１可動接点が上記第１選択接点に当接して、第１電気回路が構成される。次いで、第２クリック操作によって、上記スイッチ用接点バネ２０１側の第２可動接点が上記第２選択接点に当接して、第２電気回路が構成される。
【発明の開示】
【発明が解決しようとする課題】
【０００７】
上記従来の構成によると次のような問題があった。
まず、従来使用されているスイッチ用接点バネ２０１は、図１８に示すように、二重構造、すなわち、中央円板部２０３の外周側にリング状枠部２０５を配置していて、径方向に二重構造になっている。その為、径方向に大型化してしまい、小型の二段動作スイッチには適用できないという問題があった。
尚、ここでいう小型の二段動作スイッチとは、例えば、携帯電話等における狭隘なスペース内に組み込まれる各種の二段動作スイッチである。
又、通常、二段動作スイッチの場合には、ストローク(押圧ストローク)を確保するために、固定接点側においては高さ方向に段差を設ける構成になっている。具体的には、上記絶縁ハウジングのコモン接点、第１選択接点、第２選択接点において、段差を設けることにより必要なストロークを確保するようにしている。ところが、プリント配線基板の場合にはそのような段差を設けることは困難であり、よって、従来構成のスイッチ用接点バネ２０１をプリント配線基板にそのまま接触させて使用することはできなかった。
又、プリント配線基板に使用する場合には、スイッチ用接点バネ２０１を半田付けする必要があり、その為、耐熱性の高い材料である必要があり、それによって、コストが上昇してしまうという問題があった。
又、図１８に示すようなスイッチ用接点バネ２０１の場合には、一枚の接点バネによって二種類の荷重特性を提供する必要があり、その為の調整作業が困難であると共に様々な仕様に応じた柔軟な対応ができないという問題があった。
【０００８】
本発明はこのような点に基づいてなされたものでその目的とするところは、径方向への大型化を防止して小型化が可能であり、又、プリント配線基板に対しても容易に使用することが可能な二段動作スイッチを提供することにある。
【課題を解決するための手段】
【０００９】
上記目的を達成するべく本願発明の請求項１による二段動作スイッチは、第１固定接点、第２固定接点、第３固定接点を備える回路基板と、上記回路基板の第１固定接点に常時接触する外周側接点と該外周側接点の内側に設けられ押圧操作により反転・駆動される内周側接点とを備えた第１接点バネと、上記第１接点バネに対して第１絶縁シートを介して重合・配置され上記回路基板の第２固定接点に常時接触する外周側接点と該外周側接点の内側に設けられ押圧操作により反転・駆動される内周側接点とを備えた第２接点バネと、を具備し、  一段目押圧操作によって上記第１接点バネの内周側接点が反転・駆動されて上記第２接点バネの内周側接点に接触して第１回路を起動させ、さらなる二段目の押圧操作によって上記第２接点バネの内周側接点が反転・駆動されて上記回路基板の第３固定接点に接触して第２回路を起動させるようにしたことを特徴とするものである。
又、請求項２による二段動作スイッチは、請求項１記載の二段動作スイッチにおいて、上記第１絶縁シートには内側開口部と外側開口部が形成されていて、上記内側開口部を介して上記第１接点バネの内周側接点と第２接点バネの内周側接点が接触し、上記外側開口部を介して上記第１接点バネの外周側接点が上記第１固定接点に接触していることを特徴とするものである。
又、請求項３による二段動作スイッチは、請求項１記載の二段動作スイッチにおいて、上記第１接点バネはドーム形状をなしていて、対向する両端外周部を外周側接点とし、内周側接点を有するドーム形状の膨出部はブリッジ状に形成されていてその両側に開口部が形成されており、上記両端外周部は反膨出側に湾曲・形成されていることを特徴とするものである。
又、請求項４による二段動作スイッチは、請求項３記載の二段動作スイッチにおいて、上記両端外周部には突出片が径方向及び反膨出方向に突出した状態で突出・形成されていて、これら突出片が外周接点であることを特徴とするものである。
又、請求項５による二段動作スイッチは、請求項１記載の二段動作スイッチにおいて、上記第２接点バネはドーム形状をなしていて、外周縁部が外周側接点であり、膨出部が内周側接点であることを特徴とするものである。
又、請求項６による二段動作スイッチは、請求項１記載の二段動作スイッチにおいて、上記第２接点バネと上記回路基板との間には第２絶縁シートが設置されることを特徴とするものである。
又、請求項７による二段動作スイッチは、請求項６記載の二段動作スイッチにおいて、上記第２絶縁シートには内側開口部と外側開口部が形成されていて、上記内側開口部を介して上記第２接点バネの外周側接点と第２固定接点が接触し、上記外側開口部を介して上記第１接点バネの外周側接点が上記第１固定接点に接触していることを特徴とするものである。
又、請求項８による二段動作スイッチは、請求項１〜請求項７の何れかに記載の二段動作スイッチにおいて、上記第１接点バネはスペーサを介してカバーフィルムによって覆われていることを特徴とするものである。
又、請求項９による二段動作スイッチは、請求項１〜請求項７の何れかに記載の二段動作スイッチにおいて、各種電気・電子機器の回路基板に実装されるものであることを特徴とするものである。
又、請求項１０による二段動作スイッチは、請求項１〜請求項７の何れかに記載の二段動作スイッチにおいて、携帯電話の回路基板に実装されるものであることを特徴とするものである。
【発明の効果】
【００１０】
以上述べたように、本願発明による二段動作スイッチは、第１固定接点、第２固定接点、第３固定接点を備える回路基板と、上記回路基板の第１固定接点に常時接触する外周側接点と該外周側接点の内側に設けられ押圧操作により反転・駆動される内周側接点とを備えた第１接点バネと、上記第１接点バネに対して第１絶縁シートを介して重合・配置され上記回路基板の第２固定接点に常時接触する外周側接点と該外周側接点の内側に設けられ押圧操作により反転・駆動される内周側接点とを備えた第２接点バネとを具備した構成になっているので、まず、第１接点バネと第２接点バネを積層させる構成としたことにより径方向の寸法を縮小することが可能になり、それによって、狭隘なスペースへの設置が容易になる。
特に、携帯電話を例に挙げると、その薄型化によって側面部の厚み寸法は小さなものとなっている。そのような狭隘なスペースに、径方向に寸法が拡大された従来の二段動作スイッチを組み入れることは極めて困難であるが、上記したように、本発明の二段動作スイッチは径方向の寸法が縮小化されているので、そのような狭隘なスペースに対しても容易に対応可能である。
又、第１接点バネとそれとは別体の第２接点を使用しているので、従来のように一枚の接点バネによって二種類の荷重特性を出す必要もなく、煩雑な調整作業を不要とすることができる。
又、上記第１接点バネはドーム形状とし、対向する両端外周部を外周側接点とし、内周側接点を有するドーム形状の膨出部はブリッジ状に形成されていてその両側に開口部を形成し、上記両端外周部は反膨出側に湾曲・形成させた場合には、それによって、高さ、すなわち、ストロークを確保することができるものである。それによって、固定接点側に段差を設ける必要もなく、よって、各種のプリント配線基板に対して容易に対応することができる。
その際、上記両端外周部には突出片が径方向及び反膨出方向に突出した状態で突出・形成して、これら突出片を外周側接点とした場合は、上記効果をさらに高めることが可能になる。
又、上記第１接点バネをスペーサを介してカバーフィルムによって覆うようにした場合には、それによって、防塵効果を発揮させることができる。
又、各種電気・電子機器の回路基板に実装される二段動作スイッチに適用した場合にはより効果的であり、前述したように、携帯電話の回路基板に実装される二段動作スイッチに適用した場合にはさらに顕著な効果を奏することができる。
【発明を実施するための最良の形態】
【００１１】
以下、図１乃至図９を参照して本発明の第１の実施の形態を説明する。図１は、本実施の形態による二段動作スイッチ１００の構成を示す分解斜視図、図２は二段動作スイッチ１００の平面図、図３はプリント配線板側の平面図、図４は図２のＩＶ−ＩＶ断面図、図５は図２のＶ−Ｖ断面図である。
まず、プリント配線板１０１側の構成から説明すると、図１、図３に示すように、プリント配線板１０１上には第１固定接点１０３、１０３、環状の第２固定接点１０５、円形の第３固定接点１０７が設けられている。又、プリント基板１０１には対角線上に図示しない固定ネジが通る貫通孔１０２、１０２が形成されている。
【００１２】
上記プリント配線板１０１上には、図１、図４、図５に示すように、第２絶縁シートとしての粘着シート１０９が設置されている。この粘着シート１０９には開口部１１１が形成されている。この開口部１１１は、中央の円形開口部１１１ａと、円形開口部１１１ａの外側に連続して形成された一対の矩形開口部１１１ｂ、１１１ｂとから構成されている。又、この粘着シート１０９にも対角線上に図示しない固定ネジが通る貫通孔１１２、１１２が形成されている。
【００１３】
上記粘着シート１０９の開口部１１１の円形開口部１１１ａの位置には、図１、図４、図５に示すように、第２接点バネ１１３が設置されている。この第２接点バネ１１３は、図６にも示すように、円形ドーム状をなしていて、図１中上方に凸の状態にて設置されている。上記第２接点バネ１１３は、その外周部が外周側接点１１３ａとなっていて、中央の膨出部が内周側接点１１３ｂとなっている。又、上記第２接点バネ１１３の外周側接点１１３ａは、図４及び図５に示すように、回路基板１０１の第２固定接点１０５に対して常時接触された状態で設置されている。
【００１４】
上記第２接点バネ１１３の上には、図１、図４、図５に示すように、第１絶縁シートとしての粘着シート１１５が設置されている。この粘着シート１１５の中央部には円形開口部１１７が形成されている。又、上記円形開口部１１７を挟んで図１中左右両側には矩形開口部１１９、１１９が形成されている。この粘着シート１１５においても対角線上に図示しない固定ネジが通る貫通孔１２０、１２０が形成されている。
【００１５】
上記粘着シート１１５の上には、図１、図４、図５に示すように、第１接点バネ１２１が設置されている。上記第１接点バネ１２１は、図７にも示すように、略円形ドーム形状をなしていて、図１中上方に凸の状態で配置されている。上記第１接点バネ１２１の外周部であって、１８０°の方向に対向する両端部は上側に膨出しておらず下側に湾曲・形成されていて、そこが外周側接点１２３、１２３となっている。これら外周側接点１２３、１２３は、図５にも示すように、粘着シート１１５の開口部１１９、１１９、粘着シート１０９の開口部１１１ｂ、１１１ｂを介して、回路基板１０１の第１固定接点１０３、１０３に常時接触した状態にある。
【００１６】
又、上記第１接点バネ１２１の中央部には内周側接点１２５が設けられている。この内周側接点１２５は、図４及び図５に示すように、押圧・操作されることにより反転・駆動されて、粘着シート１１５の円形開口部１１７を介して、第２接点バネ１１３の内周側接点１１３ｂに接触する。これが一段目の動作であり、それによって、図示しない第１の回路が起動する。上記内周側接点１２５をさらに押圧・操作することにより、第２接点バネ１１３が下方に向けて反転・動作し、それによって、第２接点バネ１１３の内周側接点１１３ｂの裏面側が、回路基板１０１の第３固定接点１０７に当接する。それによって、図示しない第２の回路が起動することになる。
又、上記内周側接点１２５はブリッジ状に形成されていて、その両側には開口部１２６、１２６が形成されている。  
【００１７】
上記第２接点バネ１２１の上にはスペーサ１２７が設置されていて、このスペーサ１２７の上にはカバーフィルム１２９が設置されている。上記スペーサ１２７には円形開口部１３１が形成されている。又、上記カバーフィルム１２９は塵の侵入を防止するためのものである。上記スペーサ１２７においても対角線上に図示しない固定ネジが通る貫通孔１２８、１２８が形成されている。同様に、上記カバーフィルム１２９においても、図示しない固定ネジが通る貫通孔１３０、１３０が形成されている。
【００１８】
次に、上記構成をなす二段動作スイッチの実際の用途の一例を、図８及び図９を参照して説明する。図８は携帯電話用のプリント配線基板及びその近傍の構成を示す平面図で、図９は携帯電話用のプリント配線基板及びその近傍の構成を示す分解斜視図である。
まず、図９に示すように、プリント配線基板１０１があり、このプリント配線基板１０１上にはドームコンタクト１４１が設置され、さらにその上には粘着テープ１０９が設置されている。
【００１９】
又、上記プリント配線基板１０１と粘着テープ１０９には折曲部１４３、１４５があり、これら折曲部１４３、１４５が重ねられた状態で９０°折り曲げられることになる。この折り曲げられた部分が、図示しない携帯電話の側面部に該当することになる。そして、その折曲部の位置に、既に説明した二段動作スイッチ１００が設置されることになる。
【００２０】
上記折曲部１４３には、図１にて説明した第１固定接点１０３、第２固定接点１０５、第３固定接点１０７が設けられている。又、粘着シート１０９の折曲部１４５には開口部１１１が形成されている。
【００２１】
以上この第１の実施の形態によると次のような効果を奏することができる。
まず、二段動作スイッチの小型化、特に、径方向の寸法の縮小化を図ることができる。これは、従来のように、第１接点と第２接点を径方向に二重に設ける構成ではなく、第１接点バネ１２１と第２接点バネ１１３を高さ方向に積層させて、径方向に寸法が拡大されないような構成を採用したからである。
特に、携帯電話を例に挙げると、その薄型化によって側面部の厚み寸法は小さなものとなっている。そのような狭隘なスペースに、径方向に寸法が拡大された従来の二段動作スイッチを組み入れることは極めて困難であるが、上記したように、本実施の形態による二段動作スイッチ１００は径方向の寸法が縮小化されているので、そのような狭隘なスペースに対しても容易に対応可能である。
又、第１接点バネ１２１とそれとは別体の第２接点バネ１１３を使用しているので、従来のように一枚の接点バネによって二種類の荷重特性を出す必要もなく、煩雑な調整作業を不要とすることができる。
又、この実施の形態の場合には、第１接点バネ１２１の形状を工夫することにより必要なストロークを確保するようにしている。具体的には、外周側接点１２３、１２３が設けられている箇所を上側に膨出させることなく下側に湾曲・形成させていると共に内側接点部１２５をブリッジ状に膨出させており、それによって、高さ、すなわち、ストロークを確保することができるものである。それによって、プリント配線基板側の固定接点、すなわち、第１固定接点１０３、１０３、第２固定接点１０５、第３固定接点１０７に段差を設ける必要もなく、よって、各種のプリント配線基板１０１に対して容易に対応することができる。
又、カバーフィルム１２９によって塵の侵入を防止することができる。
【００２２】
次に、図１０を参照して本発明の第２の実施の形態を説明する。この第２の実施の形態の場合には、前記第１の実施の形態の場合における第１接点バネ１２１の両端部を下側に湾曲・形成させると共にそこに突出片を設け、それらを外周側接点１２３、１２３としている。これら外周側接点１２３、１２３は、図１０（ｂ）に示すように、径方向だけでなく反膨出側にも突出されており、それによって、高さひいてはストロークの確保がさらに確実なものとなる。
尚、その他の構成は前記第１の実施の形態と同じであり、同一部分には同一符号を付しその説明は省略する。  
【００２３】
次に、図１１、図１２を参照して本発明の第３の実施の形態を説明する。前記第１、第２の実施の形態の場合には、二段動作スイッチの設置場所を携帯電話の側面とした場合を例に挙げて説明したが、それに限定されるものではない。
この第３の実施の形態の場合には、前面側の上部に設置する場合を示すものである。このような場合も前記第１、第２の実施の形態の場合と同様の効果を奏することができるものである。
尚、前記第１、第２の実施の形態の場合と同一部分には同一符号を付して示しその説明は省略する。
【００２４】
次に、図１３乃至図１５を参照して本発明の第４の実施の形態を説明する。この第４の実施の形態の場合には、前記第1の実施の形態における第２絶縁シートとしての粘着シート１０９を除去し、第１絶縁シートとしての粘着シート１５１のみとした構成になっている。この粘着シート１５１の形状は、前記第１の実施の形態における粘着シート１１９と同じような形状になっている。
【００２５】
すなわち、上記粘着シート１５１には円形開口部１５３が形成されている。この円形開口部１５３の外側には一対の矩形開口部１５５、１５５が形成されている。又、上記構成をなす二段動作スイッチ１００の断面図を図１４、図１５に夫々示す。
尚、その他の構成はむ前記第１の実施の形態の場合と同じであり、同一部分には同一符号を付して示しその説明は省略する。
このような構成でも前記第1の実施の形態の場合と略同様の効果を奏することができると共に、第２絶縁シートの分だけ部品点数を減少させることができ、それによって、製造・組立作業を容易化させることができると共にコストの低減を図ることができる。
【００２６】
次に、図１６及び図１７を参照して本発明の第５の実施の形態を説明する。まず、基板１３１があり、この基板１３１には、図１７に示すように、固定接点１３３、１３５、１３７が設けられている。そこに、二段動作スイッチ１００を設置するものである。このような構成でも前記第１〜第４の実施の形態の場合と同様の効果を奏することができる。        
【００２７】
尚、本発明は前記第１乃至第５の実施の形態に限定されるものではない。
前記第１乃至第５の実施の形態の場合には、携帯電話のプリント配線基板上に実装する場合を例に挙げて説明したが、それに限定されるものではなく、様々な電気機器、電子機器（例えば、デジタルカメラ等）の基板に対して適用可能である。
又、各部材の形状等はあくまで一例であり、様々な形状、大きさのものが想定される。
【産業上の利用可能性】
【００２８】
本発明は、二段動作スイッチにおいて、そこに使用されるスイッチ用接点バネの構成を改良することにより、ＰＣＢやＦＰＣ等の回路基板に対して有効に使用することができるようにしたものに関し、例えば、携帯電話等の狭隘なスペース内に設置・使用する二段動作スイッチとして好適である。
【図面の簡単な説明】
【００２９】
【図１】本発明の第１の実施の形態を示す図で、二段動作スイッチの構成を示す分解斜視図である。
【図２】本発明の第１の実施の形態を示す図で、カバーフィルムを一部除去して示す二段動作スイッチの平面図である。
【図３】本発明の第１の実施の形態を示す図で、回路基板の固定接点と第１接点ばねとの位置関係を示す平面図である。
【図４】本発明の第１の実施の形態を示す図で、図２のＩＶ−ＩＶ断面図である。
【図５】本発明の第１の実施の形態を示す図で、図２のＶ−Ｖ断面図である。
【図６】本発明の第１の実施の形態を示す図で、図６（ａ）は第２接点バネの平面図、図６（ｂ）は図６（ａ）のｂ−ｂ断面図である。
【図７】本発明の第１の実施の形態を示す図で、図７（ａ）は第１接点バネの平面図、図７（ｂ）は図７（ａ）のｂ−ｂ断面図である。
【図８】本発明の第１の実施の形態を示す図で、携帯電話用の回路基板の構成を示す平面図である。
【図９】本発明の第１の実施の形態を示す図で、携帯電話用の回路基板の構成を示す分解斜視図である。
【図１０】本発明の第２の実施の形態を示す図で、図１０（ａ）は第１接点バネの平面図、図１０（ｂ）は図１０（ａ）のｂ−ｂ断面図である。
【図１１】本発明の第３の実施の形態を示す図で、携帯電話用の回路基板の構成を示す平面図である。
【図１２】本発明の第３の実施の形態を示す図で、携帯電話用の回路基板の構成を示す分解斜視図である。
【図１３】本発明の第４の実施の形態を示す図で、二段動作スイッチの構成を示す分解斜視図である。
【図１４】本発明の第４の実施の形態を示す図で、二段動作スイッチの断面図である。
【図１５】本発明の第４の実施の形態を示す図で、図１４のＸＶ−ＸＶ断面図である。
【図１６】本発明の第５の実施の形態を示す図で、基板に二段動作スイッチを取り付けた状態を示す平面図である。
【図１７】本発明の第５の実施の形態を示す図で、基板に二段動作スイッチを取り付ける様子を示す分解斜視図である。
【図１８】従来例を示す図で、スイッチ用接点バネの構成を示す斜視図である。
【符号の説明】
【００３０】
１００  二段動作スイッチ
１０１  回路基板
１０３  第１固定接点
１０５  第２固定接点
１０７  第３固定接点
１０９  粘着シート（第２絶縁シート）
１１１  開口部
１１３  第２接点バネ
１１３ａ  外周側接点
１１３ｂ  内周側接点
１１５  粘着シート（第１絶縁シート）
１１７  円形開口部
１１９  矩形開口部
１２１  第１接点バネ
１２３  外周側接点
１２５  内周側接点
１２７  スペーサ
１２９  カバーフィルム
【図１】
2005340154.tif 000003
【図２】
2005340154.tif 000004
【図３】
2005340154.tif 000005
【図４】
2005340154.tif 000006
【図５】
2005340154.tif 000007
【図６】
2005340154.tif 000008
【図７】
2005340154.tif 000009
【図８】
2005340154.tif 000010
【図９】
2005340154.tif 000011
【図１０】
2005340154.tif 000012
【図１１】
2005340154.tif 000013
【図１２】
2005340154.tif 000014
【図１３】
2005340154.tif 000015
【図１４】
2005340154.tif 000016
【図１５】
2005340154.tif 000017
【図１６】
2005340154.tif 000018
【図１７】
2005340154.tif 000019
【図１８】
2005340154.tif 000020